(57)【要約】【課題】  筆記具と塗膜転写具が確実、かつ容易に着脱することができ、不使用時には、塗膜転写具の転写ヘッドが内部に収納されて、塗膜でポケット内等を汚さない筆記具一体型塗膜転写具を提供する。【解決手段】  基材テープに塗膜を備えた転写テープを繰り出す繰出部と、前記塗膜を被転写体に押圧して転写する転写ヘッドと、転写後の基材テープを巻き取る巻取部を有する塗膜転写具と筆記具とが装着可能に一体化された筆記具一体型塗膜転写具おいて、前記塗膜転写具に、転写ヘッド側および反転写ヘッド側の両方向に筆記具と着脱可能な装着部材を設けたことを特徴とする筆記具一体型塗膜転写具。【選択図】      図１
2005178158.tif 000002
【特許請求の範囲】
【請求項１】
基材テープに塗膜を備えた転写テープを繰り出す繰出部と、前記塗膜を被転写体に押圧して転写する転写ヘッドと、転写後の基材テープを巻き取る巻取部を有する塗膜転写具と筆記具とが装着可能に一体化された筆記具一体型塗膜転写具において、前記塗膜転写具に、転写ヘッド側および反転写ヘッド側の両方向に筆記具と着脱可能な装着部材を設けたことを特徴とする筆記具一体型塗膜転写具。
【請求項２】
前記塗膜転写具の転写ヘッドの保護キャップとなる筆記具外筒を設けた請求項１記載の筆記具一体型塗膜転写具。
【発明の詳細な説明】
【技術分野】
【０００１】
本発明は、文字修正用塗膜、接着用粘着膜、装飾用塗膜等を被転写体に押圧転写する塗膜転写具と筆記具が一体に装着された筆記具一体型塗膜転写具に関する。
【背景技術】
【０００２】
従来、ボールペンで筆記した時の誤字等の訂正には修正液、修正テープを使用している。利便性を考え筆記具と修正液を充填した修正具あるいは修正テープを装填した塗膜転写具とを互いに接続して一体化した修正具付き筆記具や筆記具一体型塗膜転写具も考えられている。修正液は溶剤の臭いがする、また、修正個所が乾くまで待たなければならないという不便を回避するため、特許文献１や特許文献２の明細書内には修正テープを装填した塗膜転写具を筆記具に連結部材を介して連結したペン一体型転着器が示されている。
【０００３】
このペン一体型転着器の転着器は、二分割となるケースと、このケース内に繰り出しローラと巻取ローラを回転自在に支持し、繰り出しローラに巻回された粘着剤あるいは修正剤の転着剤が積層された転写テープを被転着面に押し付け転着剤を転着する転着ヘッドを備えている。この転着器の一端と筆記具の一端とを、それらとは別体の連結部材を介して相互に着脱可能に連結されている。
【特許文献１】特開平１０−２５０５６号公報
【特許文献２】特開平１０−１８１２８８号公報
【発明の開示】
【発明が解決しようとする課題】
【０００４】
しかし、このように塗膜転写具を筆記具に連結部材を介して連結したペン一体型転着器では、塗膜転写具内の修正テープを使い終わった後、新たな塗膜転写具と交換する際、使用済みの塗膜転写具を筆記具から取りはずすが、誤って連結部材ごと筆記具からはずれてしまうこともある。こうなると新たな塗膜転写具は筆記具に取り付けできず、塗膜転写具の交換がスムーズにできないという問題が生じる。
また、塗膜転写具の転写ヘッドを保護するため、所定角度シフトしてキャップが後退して、転写ヘッドが出る工夫をしたペン一体型転着器があるが、ポケット内に入れているペン一体型転着器に横方向の力が掛かるとキャップが後退し、転写ヘッドに巻き掛けてある修正テープがポケット内の生地と接触して汚すという問題が生じる。
【０００５】
本発明の目的は、筆記具と塗膜転写具が確実、容易に着脱でき、ポケット内等を汚さない筆記具一体型塗膜転写具を提供することである。
【課題を解決するための手段】
【０００６】
上記目的を達成するために、基材テープに塗膜を備えた転写テープを繰り出す繰出部と、前記塗膜を被転写体に押圧して転写する転写ヘッドと、転写後の基材テープを巻き取る巻取部を有する塗膜転写具と筆記具とが装着可能に一体化された筆記具一体型塗膜転写具において、前記塗膜転写具に、転写ヘッド側および反転写ヘッド側の両方向に筆記具と着脱可能な装着部材を設けたことを特徴とする筆記具一体型塗膜転写具および、
前記塗膜転写具の転写ヘッドの保護キャップとなる筆記具外筒を設けたことによって、前記の課題を解決した。
【発明の効果】
【０００７】
本発明の筆記具一体型塗膜転写具は、筆記具と塗膜転写具との間で直接連結できる装着部材を塗膜転写具の転写ヘッド側と反転写ヘッド側にも形成したので、筆記具に直接形成された装着部材と塗膜転写具に直接形成された装着部材とを嵌合するだけで、筆記具と塗膜転写具とを一体化できるので、使用済みの塗膜転写具を新たな塗膜転写具に交換する際、使用済みの塗膜転写具を筆記具から直接取りはずし、新たな塗膜転写具を筆記具に直接取り付けるだけで確実、容易に筆記具と装着できる。
次に塗膜を被転写面に転写する時は、反転写ヘッド側の装着部材と筆記具の装着部材とを嵌合させるだけで転写ヘッドは筆記具外筒の外に出るので、被転写面に接触させることができ使用可能となる。逆に使用しない時には、塗膜転写具を外筒から抜き取り、ひっくり返して、転写ヘッド側の装着部材と筆記具の装着部材とを嵌合させるだけで転写ヘッドは、筆記具外筒内に収納される。そうすると転写ヘッドには個別のキャップは不要となり、筆記具外筒がキャップを兼用することから、転写テープは他の物と接触することがなくなるので手やポケット内を汚すことがない。
【発明を実施するための最良の形態】
【０００８】
以下に、本発明の実施形態を図面に基づいて説明する。図１は本発明の筆記具一体型塗膜転写具で塗膜転写具を使用する場合の図である。図１に示すように、本実施形態の筆記具一体型塗膜転写具１は、全長の長いほぼ円筒状に形成され、転写テープ９である修正テープを装填した塗膜転写具２と、この塗膜転写具２の反転写ヘッド側に筆記具の装着部材５である凸部と嵌合する塗膜転写具の装着部材４の凸部が設けられている。
【０００９】
筆記具の装着部材５の凸部は、筆記具３の一端部から所定深さの円筒状の開口された、ほぼ円筒状の中空体、言い換えれば外筒として形成されている。この外筒の開口の内径近傍は塗膜転写具の装着部材４の凸部と嵌合が容易に行えるように装着部材５が形成されている。
【００１０】
前記塗膜転写具２は、２つの支軸を備えたケース、ケース端部に設けられて先端に押圧転写部１１を備えた転写ヘッド１０、各支軸に回転可能に係合された繰り出しロール６と巻取ロール７、この繰り出しロール６と巻取ロール７を連動回転させる無端状のゴムベルト８、および基材テープの片面に塗膜を備えた転写テープ９からなり、ケースはカバーで覆われている。繰り出しロール６に巻回された転写テープ９は引き出され、転写ヘッド１０の押圧転写部１１で転写テープ９の塗膜を被転写体に押圧して転写し、転写後の基材テープを巻取ロール７で巻き取るようになっている。この塗膜転写具２の反転写ヘッド側にケース、カバーの外径よりも大きい径で所定長さの凸条をケース、カバーの外周に設け、装着部材４の凸部が形成されている。この装着部材４の凸部と筆記具の外筒内に形成した装着部材５の凸部とが容易に嵌合できる。もちろん筆記具は、通常のシャープペン、水性または油性インクのボールペン、マーカーペンおよびこれら２種以上を寄せ集めたペン等である。また、この外周の凸条の転写ヘッド側にも装着部材４と同径の装着部材４１が形成されている。よって、塗膜転写具２には転写ヘッド側と反転写ヘッド側との２カ所に装着部材４、４１を形成するので、塗膜を使用する時には、筆記具の外筒内の装着部材５に塗膜転写具の反転写ヘッド側の装着部材４を嵌合すればよく、使用しない時は、図２のように塗膜転写具を引き抜き、ひっくり返して筆記具の外筒内に挿入し、転写ヘッド側の装着部材４１を筆記具の外筒内の装着部材５に嵌合すればよい。そうすると転写ヘッド１０は、外筒内に収納され、個別の保護キャップを必要としない。
筆記具側には、クリップ付きキャップを設けてもよい。
転写ヘッド１０の押圧転写部１１の形状は、転写テープ９の厚さ方向から見て三角形または小さな円弧状であってもよい。
本発明の塗膜転写具２は筆記具３と一体とするため、できる限り小型化する必要があるので、繰り出しロール６と巻取ロール７とを連動回転させる連動機構には、ギヤ式連動機構よりもコストが安価であり、両ロールの外径よりも小径で連動できる無端状のゴムベルト８、例えばＯリングを使用している。
【００１１】
塗膜転写具２は、そのケース内に収納される転写テープ９が視認できるような透明、あるいは、半透明な樹脂で形成されるのが望ましいが、不透明な樹脂や一部紙等の材質で形成してもよく、その材質は限定されるものではない。筆記具も同様である。
【００１２】
なお、塗膜転写具２と筆記具３との嵌合は、例えば、筆記具の装着部材５の凸部の開口面取り端から内側にかけてネジ溝を内壁側に形成し、このネジ溝を塗膜転写具の装着部材４の凸部外周に形成したネジ山と螺合させてもよい。
また、実施例において塗膜転写具２と筆記具３との着脱構成は、凸部と凸部との嵌合によることとしたが、凹凸部の嵌合、穴や溝と掛止するフック形状であったり、磁石による係合であってもよく、またその組み合わせでもよい。このように塗膜転写具２の装着部材４，４１と筆記具３の装着部材５とが簡単に着脱できる構成であればよい。
【図面の簡単な説明】
【００１３】
【図１】本発明の筆記具一体型塗膜転写具で塗膜転写具を使用する場合を示す。
【図２】塗膜転写具の縦断面図を示す。
【図３】本発明の筆記具一体型塗膜転写具で塗膜転写具を使用しない場合を示す。
【符号の説明】
【００１４】
１  筆記具一体型塗膜転写具
２  塗膜転写具
３  筆記具
４  塗膜転写具の装着部材
４１  塗膜転写具の装着部材
５  筆記具の装着部材
６  繰り出しロール
７  巻取ロール
８  ゴムベルト
９  転写テープ
１０  転写ヘッド
１１  押圧転写部
２０  筆記具のキャップ
【図１】
2005178158.tif 000003
【図２】
2005178158.tif 000004
【図３】
2005178158.tif 000005